(57)【要約】      （修正有）【課題】止水板を閉じた状態において地面との間に隙間が発生することなく、かつ止水板を開閉する動作で予期しない事態の発生を防ぐ安全な止水板装置を提供する。【解決手段】止水板装置２は、地面に設けた機械部収納フレーム３と、直流出力の無停電電源システムを有する油圧装置４と、止水板本体５と、止水板本体５の両端が当接する位置に立設けられた当接柱体と、リモートコントローラー７とを含んでなる。機械部収納フレーム３は収納空間３１と、収納溝３２とを具える。また、機械部収納フレーム３は建物の門の内側か、又は外側の地面に設ける。収納溝３２には油圧配管と電源コードを収納し、収納空間３１には、内部に複数のヒンジ固定座３３と、筐体３４と、軸受座と、緩衝構造部と、回動自在に設ける止水板本体５と、止水板本体５に動力を伝えるアーム４１と、油圧シリンダ装置４２とを設ける。【選択図】図３
0003195948.tif 000002
【実用新案登録請求の範囲】
【請求項１】
収納空間と収納溝とを具える機械部収納フレームと、
該収納空間に設ける複数のヒンジ固定座と、
該収納空間に設ける筐体と、
該収納空間に設ける軸受座と、
上アームと及び該上アームの一端に回動自在に連結する下アームとによってなるアームと、油圧シリンダ装置と、該下アームの一端が回動自在に連結する調整手段とを含んでなり、該機械部収納フレームの該収納空間に設ける油圧装置と
両側に安全装置を設け、かつ内側の面には補強リブを格子状に形成するとともに、該補強リブには支軸を具え該上アームの一端を軸支する軸支座を設け、別途該補強リブを延伸させて一対の対向する連結板を形成し、かつそれぞれの該連結板に貫通孔を穿設して支軸を設けて該ヒンジ固定座に連結する軸支部を形成し、さらに水平方向の両端に赤外線検知手段を設け、該収納空間に設ける止水板本体と、
建物の出入り口の両側に、該止水板本体の両端がそれぞれ当接するように立設し、かつ赤外線検知手段を具える当接柱体と
少なくとも自動制御手段と、直流動力で作動し該油圧シリンダ装置を駆動する油圧モータと、無停電電源システムを具える蓄電手段とを含んでなり、かつ該自動制御手段が該油圧モータと該当接柱体に設けた赤外線検知手段と該止水板本体に設けた赤外線検知手段とに電気的に接続して該油圧モータを作動させ、かつ該当接柱体に設けた赤外線検知手段と該止水板本体に設けた赤外線検知手段とが出力する信号を受信して該油圧モータの作動の制御を行うリモートコントローラーと、を含んでなることを特徴とする止水板装置。
【請求項２】
前記機械部収納フレームの該収納空間に設ける該筐体が、上下とも開口面であることを特徴とする請求項１に記載の止水板装置。
【請求項３】
前記ヒンジ固定座が対向する２枚の板体の上端をスリーブで連結してなり、かつ該スリーブは断面が楕円形を呈し、内部の孔部を偏心軸孔とすることを特徴とする請求項１に記載の止水板装置。
【請求項４】
前記ヒンジ固定座の両側にそれぞれ凸柱を設けることを特徴とする請求項１に記載の止水板装置。
【請求項５】
前記軸受座の上部に軸受を設けることを特徴とする請求項１に記載の止水板装置。
【請求項６】
前記収納空間を囲繞する壁に、該収納空間浸み込んだ水を排出するための水はけ孔を形成することを特徴とする請求項１に記載の止水板装置。
【請求項７】
前記収納空間に水位検知手段を設けることを特徴とする請求項１に記載の止水板装置。
【請求項８】
前記収納溝の上面の周囲に止水パッドを設けることを特徴とする請求項１に記載の止水板装置。
【請求項９】
前記収納溝上に、表面に滑り止めのための凹凸模様を形成した踏板を設けて覆うことを特徴とする請求項１に記載の止水板装置。
【請求項１０】
前記機械部収納フレームに一つ以上の緩衝構造部を設けることを特徴とする請求項１に記載の止水板装置。
【請求項１１】
前記緩衝構造部が支持部材と、２つの弾性部材と、２本の弾性体支持突起とによってなることを特徴とする請求項１０に記載の止水板装置。
【請求項１２】
前記調整手段が、スライド座、スライド桿と、支持桿と、固定座とによってなることを特徴とする請求項１に記載の止水板装置。
【請求項１３】
前記スライド座の外面の一方の側に、孔部を穿設した支持耳を設けて支持操桿を貫通させ、かつ該支持桿を摺動自在に支持することを特徴とする請求項１２に記載の止水板装置。
【請求項１４】
前記スライド桿の一端に螺刻し、かつねじ山に調整ナットを螺合することを特徴とする請求項１２に記載の止水板装置。
【請求項１５】
前記スライド桿に、両端該がスライド座と該固定座との間にそれぞれ当接する弾性部材を設けることを特徴とする請求項１２に記載の止水板装置。
【請求項１６】
前記安全装置が、固定桿と受動桿とを具え、かつ該固定桿と該受動桿との間に空間を形成し、該空間内にタクトスイッチと、複数の弾性体とを設けることを特徴とする請求項１に記載の止水板装置。
【請求項１７】
前記止水板本体の該収納溝側の一端の端縁部に接触面を形成し、かつ該接触面には面取りをして傾斜面を形成することを特徴とする請求項１に記載の止水板装置。
【請求項１８】
前記止水板本体の表面が該接触面を越えて外方向に延伸して庇部を形成することを特徴とする請求項１７に記載の止水板装置。
【請求項１９】
前記止水板の水平方向の両端に赤外線検知手段をそれぞれ設けることを特徴とする請求項１７に記載の止水板装置。
【請求項２０】
前記当接柱体には対向させて赤外線検知手段をそれぞれ設けることを特徴とする請求項１に記載の止水板装置。
【請求項２１】
前記当接柱体の下端は水平桿で連結し、かつ該水平桿の該止水板本体の該接触面と接触する位置に耐熱、耐酸、耐アルカリ特性を有する材質によってなる止水パッドを設けることを特徴とする請求項１に記載の止水板装置。
【請求項２２】
前記当接柱体には、止水板本体と接触する面に、接触面が鋸刃状に形成された止水パッドを設けることを特徴とする請求項１に記載の止水板装置。
【考案の詳細な説明】
【技術分野】
【０００１】
この考案は、建物の入り口などに設け、建物への水の進入を防ための止水板装置に関する。
【背景技術】
【０００２】
世界的な気候の変化によって、突発的な暴風雨の発生が頻繁に起きるようになった。低平地の住民は常に冠水の苦を味わうことになる。日頃から災害に備え、被害を最低限に抑えることは重要であるが、それがなされているのは、極一部の住民だけというのが現実である。水害が発生すると、道路の冠水、住居の浸水のみならず、地下に設けられた施設、通路、駐車場なども水に浸かる。これを防ぐために水門などが設けられる。建物についても、正面玄関や地下室の入口から水が入らないように止水板を設ける。係る止水板に関して、より効率よく浸水を防ぐために多くの工夫、考案がなされた。
【０００３】
例えば、台湾実用新案登録第Ｍ２９６２９４号は、防水効果を高める止水板を提供するものであって、その構造は図１に開示するとおりである。即ち、該実用新案における止水板装置１は、地面１１に設けた収納溝１２内の両横に柱体１２０をそれぞれ立設し、かつ柱体１２０に密着部材１２１を設けるとともに、柱体１２０の下端縁部には、水の浸み込みを防ぐ防漏部材１２２を設ける。
【０００４】
また、収納溝１２内にはベース部１３０を設け、ベース部１３０には支持フレーム１３１を設ける。支持フレーム１３１の一端には可動ブロック１４０を設け、可動ブロック１４０の上端に動作制限板１５０を固定し、かつ動作制限板１５０上から締結部材１５１を設ける。締結部材１５１を設けることによって、可動ブロック１４０が収納溝１２から離脱することを防ぐ。また、可動ブロック１４０の側面には軸支部１４１を設け、軸支部１４１によって止水板１１０を軸支する。止水板１１０は作用点１１１に、油圧でピストンを自在に伸縮させるシリンダ装置１６０を回動自在に連結する。
【０００５】
上述する構造の止水板装置１は、浸水を防ぐ効果を有するものの、次に掲げる欠点を具える。即ち、シリンダ装置１６０のピストンが伸びて位置決めされて止水板１１０を支持した場合、止水板１１０の作用点が止水板１１０の下側、約三分の一の箇所に在り、かつシリンダ装置と水圧への抵抗が同一軸上にあるため水圧が容易に圧縮され、止水板１１に水圧に対する抗力が不足する。よって、止水板１１０が密着部材１２１に密着することができなくなり、密着による水の浸み込みを防ぐ効果が失われる。
【０００６】
また、上述する止水板装置１は、安全面での配慮に欠ける。即ち、止水板１１０の開閉の動作の途中で、アクシデントの発生に対応して即刻動作を停止する機能を具えていない。よって、止水板１１０の開閉動作の途中で、予期せず人が挟まれたり、車両などに止水板１１０が当たったりして事故が発生することを防ぐことができない。
【０００７】
さらに、上述する止水板装置１も含め、従来の止水板装置は、一般に止水板を閉じて、地面に設けられ機械部分を収納するボックス上に位置させるが、この場合、該止水板を閉じた状態で地面と平坦になるようにヒンジの部分に偏心軸受を設け、かつ止水板の角を半円形状にする。もしくは、副止水板を設けてヒンジの回転の半径を抑制する。よって比較的大きな切り欠き部を必要とするが、このため却って半円形状の止水板の角と、該半円形状の止水板の角に当接する防水部材が緊密に接することができなくなる。さらに該止水板を閉じた状態において地面と機械部分を収納する該ボックスのフレームとの間に隙間が発生する。このため、人がその上を通過する場合に躓く恐れがある。また、該副止水板を閉じた状態で、その上を車両等が通過すると雑音が発生する。
【先行技術文献】
【特許文献】
【０００８】
【特許文献１】台湾実用新案登録第Ｍ２９６２９４号公報
【考案の概要】
【考案が解決しようとする課題】
【０００９】
この考案は、好ましい止水効果を具えるとともに、止水板を閉じた状態において地面との間に隙間が発生することなく平坦になり、かつ止水板を開閉する動作で人や物体が挟まれるなどの予期しない事態の発生を防ぐ安全な止水板装置を提供することを課題とする。
【課題を解決するための手段】
【００１０】
そこで、上述する従来の止水板装置に見られる欠点に鑑み鋭意研究を重ねた結果、収納空間と収納溝とを具える機械部収納フレームを具え、該収納空間に複数のヒンジ固定座と筐体と軸受座と止水板本体と、油圧装置を設けるとともに、建物の出入り口の両側に、該止水板本体の両端がそれぞれ当接するように立設し、かつ赤外線検知手段を具える当接柱体を設け、別途自動制御手段と直流動力で作動し該油圧シリンダ装置を駆動する油圧モータと無停電電源システムを具える蓄電手段とを含むリモートコントローラーを設けてなり、該油圧装置が上アームと下アームとによってなるアームと油圧シリンダ装置と該下アームの一端が回動自在に連結する調整手段とを含んでなり、該止水板本体が両側に安全装置を設け、かつ内側の面には補強リブを格子状に形成するとともに、該補強リブには支軸を具え該上アームの一端を軸支する軸支座を設け、別途該補強リブを延伸させて一対の対向する連結板を形成し、かつそれぞれの該連結板に貫通孔を穿設して支軸を設けて該ヒンジ固定座に連結する軸支部を形成し、さらに水平方向の両端に赤外線検知手段を設けてなる止水板装置によって課題を解決できる点に着眼し、係る知見に基づいて本考案を完成させた。
【００１１】
以下この考案について説明する。請求項１に記載する止水板装置は、
収納空間と収納溝とを具える機械部収納フレームと、
該収納空間に設ける複数のヒンジ固定座と、
該収納空間に設ける筐体と、
該収納空間に設ける軸受座と、
上アームと及び該上アームの一端に回動自在に連結する下アームとによってなるアームと、油圧シリンダ装置と、該下アームの一端が回動自在に連結する調整手段とを含んでなり、該機械部収納フレームの該収納空間に設ける油圧装置と
両側に安全装置を設け、かつ内側の面には補強リブを格子状に形成するとともに、該補強リブには支軸を具え該上アームの一端を軸支する軸支座を設け、別途該補強リブを延伸させて一対の対向する連結板を形成し、かつそれぞれの該連結板に貫通孔を穿設して支軸を設けて該ヒンジ固定座に連結する軸支部を形成し、さらに水平方向の両端に赤外線検知手段を設け、該収納空間に設ける止水板本体と、
建物の出入り口の両側に、該止水板本体の両端がそれぞれ当接するように立設し、かつ赤外線検知手段を具える当接柱体と
少なくとも自動制御手段と、直流動力で作動し該油圧シリンダ装置を駆動する油圧モータと、無停電電源システムを具える蓄電手段とを含んでなり、かつ該自動制御手段が該油圧モータと該当接柱体に設けた赤外線検知手段と該止水板本体に設けた赤外線検知手段とに電気的に接続して該油圧モータを作動させ、かつ該当接柱体に設けた赤外線検知手段と該止水板本体に設けた赤外線検知手段とが出力する信号を受信して該油圧モータの作動の制御を行うリモートコントローラーと、を含んでなる。
【００１２】
請求項２に記載する止水板装置は、請求項１における機械部収納フレームの該収納空間に設ける該筐体が、上下とも開口面である。
【００１３】
請求項３に記載する止水板装置は、請求項１におけるヒンジ固定座が対向する２枚の板体の上端をスリーブで連結してなり、かつ該スリーブは断面が楕円形を呈し、内部の孔部を偏心軸孔とする。
【００１４】
請求項４に記載する止水板装置は、請求項１におけるヒンジ固定座の両側にそれぞれ凸柱を設ける。
【００１５】
請求項５に記載する止水板装置は、請求項１における軸受座の上部に軸受を設ける。
【００１６】
請求項６に記載する止水板装置は、請求項１における収納空間を囲繞する壁に、該収納空間浸み込んだ水を排出するための水はけ孔を形成する。
【００１７】
請求項７に記載する止水板装置は、請求項１における収納空間に水位検知手段を設ける。
【００１８】
請求項８に記載する止水板装置は、請求項１における収納溝の上面の周囲に止水パッドを設ける。
【００１９】
請求項９に記載する止水板装置は、請求項１における収納溝上に、表面に滑り止めのための凹凸模様を形成した踏板を設けて覆う。
【００２０】
請求項１０に記載する止水板装置は、請求項１における機械部収納フレームに一つ以上の緩衝構造部を設ける。
【００２１】
請求項１１に記載する止水板装置は、請求項１０における緩衝構造部が支持部材と、２つの弾性部材と、２本の弾性体支持突起とによってなる。
【００２２】
請求項１２に記載する止水板装置は、請求項１における調整手段が、スライド座、スライド桿と、支持桿と、固定座とによってなる。
【００２３】
請求項１３に記載する止水板装置は、請求項１２におけるスライド座の外面の一方の側に、孔部を穿設した支持耳を設けて支持操桿を貫通させ、かつ該支持桿を摺動自在に支持する。
【００２４】
請求項１４に記載する止水板装置は、請求項１２におけるスライド桿の一端に螺刻し、かつねじ山に調整ナットを螺合する。
【００２５】
請求項１５に記載する止水板装置は、請求項１２におけるスライド桿に、両端該がスライド座と該固定座との間にそれぞれ当接する弾性部材を設ける。
【００２６】
請求項１６に記載する止水板装置は、請求項１における安全装置が、固定桿と受動桿とを具え、かつ該固定桿と該受動桿との間に空間を形成し、該空間内にタクトスイッチと、複数の弾性体とを設ける。
【００２７】
請求項１７に記載する止水板装置は、請求項１における止水板本体の該収納溝側の一端の端縁部に接触面を形成し、かつ該接触面に面取りをして傾斜面を形成する。
【００２８】
請求項１８に記載する止水板装置は、請求項１７における止水板本体の表面が該接触面を越えて外方向に延伸して庇部を形成する。
【００２９】
請求項１９に記載する止水板装置は、請求項１７における止水板の水平方向の両端に赤外線検知手段をそれぞれ設ける。
【００３０】
請求項２０に記載する止水板装置は、請求項１における当接柱体に対向させて赤外線検知手段をそれぞれ設ける。
【００３１】
請求項２１に記載する止水板装置は、請求項１における当接柱体の下端を水平桿で連結し、かつ該水平桿の該止水板本体の該接触面と接触する位置に耐熱、耐酸、耐アルカリ特性を有する材質によってなる止水パッドを設ける。
【００３２】
請求項２２に記載する止水板装置は、請求項１における当接柱体の止水板本体と接触する面に、接触面が鋸刃状に形成された止水パッドを設ける。
【図面の簡単な説明】
【００３３】
【図１】従来の止水板装置の構造を示した説明図である。
【図２】この考案による止水板装置の止水板本体を閉じた状態を示した斜視図である。
【図３】この考案による止水板装置の止水板本体を開いた状態を示した説明図である。
【図４】この考案における止水板本体の下端部の構造を示した局部拡大説明図である。
【図５】この考案における当接柱体を示した斜視図である。
【図６】この考案におけるアームと、その支持構造を示した局部拡大説明図である。
【図７】この考案における調整手段の構造を示した説明図である。
【図８】この考案における安全装置の構造を示した説明図である。
【図９】この考案による止水板装置を設置し、かつ止水板を開いた状態を示した斜視図である。
【図１０】この考案における止水板本体を開く動作を示した第１の説明図である。
【図１１】この考案における止水板本体を開く動作を示した第２の説明図である。
【図１２】この考案における止水板本体を開く動作を示した第３の説明図である。
【図１３】この考案における止水板本体を開く動作を示した第４の説明図である。
【図１４】この考案における止水板本体を閉じる動作を示した第１の説明図である。
【図１５】この考案における止水板本体を閉じる動作を示した第２の説明図である。
【図１６】この考案における止水板本体を閉じる動作を示した第３の説明図である。
【図１７】この考案における止水板本体を閉じる動作を示した第４の説明図である。
【図１８】他の実施の形態による止水板装置の構造を示した説明図である。
【図１９】他の実施の形態による止水板装置の構造を示した他の説明図である。
【考案を実施するための形態】
【００３４】
この考案は好ましい止水効果を具えるとともに、止水板を閉じた状態において地面との間に隙間が発生することなく平坦になり、かつ止水板を開閉する動作で人や物体が挟まれるなどの予期しない事態の発生を防ぐ安全な止水板装置を提供するものであって、収納空間と収納溝とを具える機械部収納フレームを具え、該収納空間に複数のヒンジ固定座と筐体と軸受座と止水板本体と、油圧装置を設けるとともに、建物の出入り口の両側に、該止水板本体の両端がそれぞれ当接するように立設し、かつ赤外線検知手段を具える当接柱体を設け、別途自動制御手段と直流動力で作動し該油圧シリンダ装置を駆動する油圧モータと無停電電源システムを具える蓄電手段とを含むリモートコントローラーを設けてなり、該油圧装置が上アームと下アームとによってなるアームと油圧シリンダ装置と該下アームの一端が回動自在に連結する調整手段とを含んでなり、該止水板本体が両側に安全装置を設け、かつ内側の面には補強リブを格子状に形成するとともに、該補強リブには支軸を具え該上アームの一端を軸支する軸支座を設け、別途該補強リブを延伸させて一対の対向する連結板を形成し、かつそれぞれの該連結板に貫通孔を穿設して支軸を設けて該ヒンジ固定座に連結する軸支部を形成し、さらに水平方向の両端に赤外線検知手段を設ける。係る止水板装置の構造と特徴を説明するために、具体的な実施例を挙げ、図面を参照にして以下に詳述する。
【実施例】
【００３５】
図２、３、４に開示するように、この考案による止水板装置２は、少なくとも、地面に設けた機械部収納フレーム３と、直流出力の無停電電源システムを有する油圧装置４と、止水板本体５と、止水板本体５の両端が当接する位置に立設けられた当接柱体６と、リモートコントローラー７とを含んでなる。
【００３６】
機械部収納フレーム３は収納空間３１と、収納溝３２とを具える。また、機械部収納フレーム３は建物の門の内側か、又は外側の地面に設ける。収納溝３２には油圧配管と電源コードを収納し、収納空間３１には、内部に複数のヒンジ固定座３３と、筐体３４と、軸受座３５と、緩衝構造部３６と、回動自在に設ける止水板本体５と、止水板本体５に動力を伝えるアーム４１と、油圧シリンダ装置４２とを設け、別途収納空間３１を囲繞する壁には。収納空間３１に浸み込んだ水を排出するための水はけ孔３１１を形成する。
【００３７】
図４に開示するように、ヒンジ固定座３３は対向する２枚の板体の上端をスリーブ３３１で連結してなる。スリーブ３３１は断面が楕円形を呈し、内部の孔部を偏心軸孔３３２とする。偏心軸孔３３２に支軸３３３を挿入し、かつ支軸３３３の偏心軸孔３３２を貫通した一端には挿入ピン３３４を設ける。よって、支軸３３３はスリーブ３３１から外れることなく、かつ偏心軸孔３３２内を移動することができる。また、ヒンジ固定座３３を構成するそれぞれの板体には凸柱３３５を設ける。
【００３８】
図３、６に開示するように、筐体３４は上下とも開口面とする。軸受座３５は収納溝３２の外面に接するように設け。かつ軸受座３５の上部には軸受３５１を設ける。
【００３９】
図５、６、７に開示するように、機械部収納フレーム３は収納空間３１を具え、収納空間３１内に緩衝構造部３６を設ける。緩衝構造部３６は支持部材３６１と、２つの弾性部材３６２と、２本の弾性体支持突起３６３とによってなり、弾性体支持突起３６３を収納空間３１の底面に設け、弾性体３６２を弾性体支持突起３６３に嵌設し、さらに支持部材３６１を弾性体３６２上に設ける。
【００４０】
また、機械部収納フレーム３内には、別途水位検知手段３０を設ける。水位検知手段３０は止水板装置２の外部に設けてもよい。
【００４１】
収納溝３２には電源コード及び油圧配管を設ける。また、収納溝には手動のポンプを設けてもよい。手動のポンプを設けることによって、モータが故障して動力が発生しない場合でも手動で止水本体５の開閉の動作を行うことができる。
【００４２】
また、収納溝３２は上面の周囲に複数の突起した歯を有する止水パッド３２１を設け、さらに止水パッド３２１上に踏板３７を設けて覆う。踏板３７は表面に滑り止めのための凹凸模様を形成する。
【００４３】
直流出力の無停電電源システムを有する油圧装置４は、アーム４１と、油圧シリンダ装置４２と、調整手段４３とを含んでなり、機械部収納フレーム３の収納空間３１内に設ける。
【００４４】
アーム４１は、上アーム４１１と、上アーム４１１の一端に回動自在に連結する下アーム４１２とによってなり、上アームの他端は止水板５の上端縁部に設けた軸支座５２２に軸着する。下アーム４１２は、一端が上アーム４１１に回動自在に連結し、他端が調整手段４３のスライド座４３１に回動自在に連結する。また、下アーム４１２は、下方に緩衝構造部３６の支持部材３６１が対応する位置に設ける。
【００４５】
油圧シリンダ装置４２は、一端が下アーム４１２に回動自在に連結し、他端がヒンジ固定座３３に回動自在に連結する。
【００４６】
調整手段４３は、スライド座４３１と、スライド桿４３２と、支持桿４３３と、固定座４３４とによってなる。スライド座４３１は外面の一方の側に支持耳４３１１を設ける。支持耳４３１１には孔部を穿設して支持桿４３３を貫通させ、かつ支持桿４３３を摺動自在に支持する。
【００４７】
スライド座４３１はスライド桿４３２に設ける。スライド桿４３２の一端は螺刻してねじ山に調整ナット４３２１を螺合するとともに、他端には弾性部材４３２２を設ける。弾性部材４３２２は両端がスライド座４３１と固定座４３４との間にそれぞれ当接する。固定座４３４は支持桿４３３を位置決めする作用を有する。
【００４８】
止水板本体５は、例えばステンレス鋼などによってなる板体であって、表面には、滑り止めの作用を有する複数の凹凸模様５１を形成する。止水板本体５の内側の面には補強リブ５２を格子状に形成して、止水板本体５に好ましい強度を与える。
【００４９】
また、止水板本体５の内側の面の両側には平坦な面の取付け台５２１をそれぞれ形成し、取付け台５２１に軸支座５２２を設ける。軸支座５２２は、上アーム４１１を軸支する支軸５２２１を具える。
【００５０】
また、図４に開示するように止水板本体５のヒンジ固定座３３が連結する位置には、補強リブ５２を延伸させて軸支部５３を形成する。軸支部５３は対向する一対の連結板５３１を具え、両連結板５３１の間の距離はヒンジ固定座３３のスリーブ３３１を緩挿できる長さとし、かつそれぞれの連結板５３１には貫通孔５３２を穿設する。
【００５１】
さらに、連結板５３１の下端が延伸して当接突起５３３を形成する。当接突起５３３は、止水板本体５が直立した状態においてヒンジ固定座２３の凸柱３３５に当接する。
【００５２】
別途、止水板本体５には収納溝３２側の一端の端縁部に接触面５４を形成する。接触面５４には面取りをして傾斜面５４１を形成する。傾斜面５４１は止水板本体５を閉じた状態において、軸受座３５の軸受３５１に当接する。また、止水板本体５の表面は接触面５４を越えて外方向に延伸して庇部５４２を形成する。さらに接触面５４の水平方向の両端には赤外線検知手段５５をそれぞれ設ける。
【００５３】
図８に開示するように、止水板本体５の両側には別途安全装置５６を設ける。安全装置５６は、断面がコの字状を呈する固定桿５６１と、受動桿５６２を具え、固定桿５６１と受動桿５６２との間に空間を形成し、かつ該空間内にタクトスイッチ５６３と、複数の弾性体５６４を設ける。弾性体５６４を設けることによって、固定桿５６１と受動桿５６２との間で所定の距離を保持する。
【００５４】
図２、５、９に開示するように、当接柱体６は建物の入り口の両側に設ける。当接柱体６の止水板本体５と接触する位置には、耐熱、耐酸、耐アルカリ特性を有する材質によってなり、かつ止水板本体５と接触する面が鋸刃状に形成された止水パッド６１を設ける。さらに、それぞれの当接柱体６には対向させて赤外線検知手段６２を設ける。また、それぞれの当接柱体６の下端は水平桿６３で連結するとともに、水平桿６３は閉じた状態の止水板本体５と水平になるように設ける。水平桿６３には、止水板本体５の接触面５４と接触する面に耐熱、耐酸、耐アルカリ特性を有する材質によってなる止水パッド６３１を設ける。
【００５５】
図３に開示するように、リモートコントローラー７は、自動制御手段７１と、直流動力で作動し、油圧シリンダ装置４２を駆動する油圧モータ７２と、蓄電手段７３とを含んでなり、この考案の装置を設ける現場の状況に応じて適宜な位置に設置する。自動制御手段７３は、油圧モータ７２と、止水パッド６に設けた赤外線検知手段６２と、止水板本体５に設けた赤外線検知手段５５とに電気的に接続して油圧モータ７２を作動させ、かつ赤外線検知手段５５と赤外線検知手段６２とが出力する信号を受信して、油圧モータ７２の作動の制御を行う。蓄電手段７３は電力を蓄積するために設け、かつ無停電電源システムを具えることによって、常に電力の供給を保持することができる。
【００５６】
図９に開示するように、この考案による装置を実施する場合は、先ず地面を掘って機械部収納フレーム３を設ける空間を形成する。次いで該空間に機械部収納フレーム３を設置し、セメントを周囲に注入するか、もしくはその他方法で固定する。また、筐体３４には、内部空間を利用し、同時にセメントを注入してもよい。この場合装置設置の安定性を高めることができる。
【００５７】
図３、１０に開示するように、水位検知手段３０が冠水した水位を検知した結果に基づき、もしくはリモートコントローラー７の操作によって、起動信号が自動制御手段７１に出力されると、自動制御手段７１は、先ず止水パッド６に設けた赤外線検知手段６２を起動させる。
赤外線検知手段６２を駆動させる場合は、別途警報発生手段（図示しない）を設け、アラーム音を発生させてもよい。
【００５８】
赤外線検知手段６２が起動すると、油圧モータ７２が起動し、油圧シリンダ装置４２がピストンを伸ばす。この場合、赤外線検知手段６２が人、もしくは物体を検知した場合、信号を自動制御手段７１に出力し、自動制御手段７１は入力した該信号に基づいて油圧モータ７２を緊急停止する。このため、予期せぬ事故を防ぐことができ、かつ異状が解除され、人や物体を検知しなくなると、油圧モータ７２を作動させ、油圧シリンダ装置４２のピストンを引き続いて伸ばす。
【００５９】
油圧シリンダ装置４２のピストンを伸ばす力によってアーム４１が押され、かつスライド座４３１が上アーム４１１を動かして軸支座５２２の支軸５２２１に伝動し、止水板本体５の傾斜面５４１が軸受３５１を離れる。この場合、ヒンジ固定座３３の支軸３３３が連動し、止水板本体５の一端が止水パッド６３１を設けた箇所から離れて、止水板本体５が回転運動して開く。
【００６０】
図１１に開示するように、油圧シリンダ装置４２がアーム４１  を押すと、スライド座４３１がスライド桿４３２に沿って移動し、調整ナット４３２１を設けた位置に至る。この場合、アーム４１の下アーム４１２は上方に移動して上アーム４１１を連動させる。さらに支軸３３３の作用によって止水板本体５が継続して上方に回転運動をして開放の動作を行う。
【００６１】
上述する止水板本体５の開放の動作の途中で、赤外線検知手段６２が近接した人や物体などを検知すると、信号を自動制御手段７１に出力し、自動制御手段７１は油圧モータ７２の油圧シリンダ４２に対する動力の出力を緊急停止させる。このため、止水板本体５は開放の動作を中止し、異状が解除された後、作動を再開する。
【００６２】
図１２に開示するように、油圧シリンダ装置４２が下アーム４１２と上アーム４１１を連動させ、支軸３３３の作用で止水板本体５が回転運動をして、止水板本体５の当接突起５３３が凸柱３３５に当接し、かつ止水板本体５は継続して回転運動を行う。この場合、支軸３３３は偏心軸孔３３２の空間に沿って移動し、かつ止水板本体５の上面が水平桿６３に向かって移動して止水パッド６３１に密接する。
【００６３】
図１３に開示するように、油圧シリンダ装置４２の推力で上アーム４１１と下アーム４１２が直線状になり位置決めされると、支軸５２２１の作用によって止水板本体５が止水パッド６１、６３１と完全に、かつ緊密に当接した状態が形成され、かつ支軸３３３と、支軸５２２１と、及び下アーム４２のスライド座４３１との連結箇所と、によって三角形状の強力かつ安定した支持力が形成される。
【００６４】
従来の止水板装置に見られるように、油圧シリンダ装置、もしくは螺刻した桿体、もしくはアームなどで止水板を直接支持する形式では、止水板の上端を支持することが能わず、三角形状の好ましい支持力を得ることが出来ず、モータが停止して油圧シリンダ装置のピストンが収縮して、水圧に抵抗して浸水を防ぐ目的を達成できなくなる。然しながら、この考案による止水板装置では、上述するように三角形状の強力かつ安定した支持力が得られ、係る従来の装置に見られる事態を効率よく防ぐことができる。
【００６５】
支軸５２２１が押しあげられて前方に移動する過程において、当接突起５３３が凸柱３３５に当接することによって、支軸３３３を前に動かく強力な梃子の作用が発生する。このため止水パッド６３１と止水板本体５とが緊密に接触して好ましい防水の効果が得られる。
【００６６】
また、止水パッド６１とのさらに緊密な接触を達成し、防水効果をさらに高めるためには、調整ナット４３２１を前方に移動させ、スライド座４３１を推しだす。このためアーム４１が支軸５２２１を押して、止水板本体５と止水パッド６１とがさらに緊密に接触する。
【００６７】
図１４に開示するように、止水板本体５を下方に回転させて元の位置に戻す場合は、外部から接続するリモートコントローラー７を操作して油圧モータ７２を起動する。即ち、リモートコントローラー７から信号を自動制御手段７１に出力すると、自動制御手段７２が該信号を受信して油圧モータ７２を起動し、油圧シリンダ装置４２がピストンを収縮させる動作を行う。このため止水板本体５が徐々に降下して元の位置に復帰する。
【００６８】
止水板本体５が下降する過程において、赤外線検知手段５５が人、又はその他物体を感知した場合は、自動制御手段７１に信号を出力し、自動制御手段７１が油圧モータ７２を停止する、このため油圧シリンダ装置４２の動作が停止し、止水板本体５は、緊急停止し、予期せず発生する事故を防ぐことができる。異状が解除されると、止水板本体５が元の位置に復帰する動作を再開する。
【００６９】
油圧シリンダ装置４２がピストンを収縮させ力によってアーム４１を構成する上アーム４１１と下アーム４１２が折り畳まれた状態になり、支軸５２２１を連動させて止水板本体５を閉じる。同時に当接突起５３３が凸柱３３５を離れ、支軸３３３が偏心軸孔３３２内を水平方向に移動する。このため、止水板本体５を閉じる過程において、止水板本体５の角が止水パッド６３を破壊することがない。
【００７０】
図１５に開示するように、アーム４１が下降する場合、緩衝構造部３６の支持部材３６１が弾性部材３６２に荷重を与えて圧縮させて、緩衝の効果を達成する。油圧シリンダ装置４２のピストンを収縮させる力によってアーム４１を構成する上アーム４１１と下アーム４１２が折り畳まれた状態になり、支軸５２２１が連動して下アーム４１２が水平になり、さらに下降できなくなると、下アーム４１２がスライド座４３１を連動させ、弾性部材４３２２が圧縮される。同時に、スライド座４３１がスライド桿４３２に沿って移動して上アーム４１１が支軸５２２１の作用で引き続き下降し、機械部収納フレーム３の収納空間３１の限られた空間内に上アーム４１１と下アーム４１２とが完全に折りたたまれて収納されて止水板本体５が閉じる。
【００７１】
図１６に開示するように、油圧シリンダ装置４２がピストンを収縮させる力で止水板本体５を閉じる場合、止水板本体５の傾斜面５４１が軸受３５１に接触し、かつ軸受３５１に沿って止水パッド６３１を設けた位置に向かって移動して止水板本体５が閉じる。よって、止水板５と止水パッド６３１とが平坦になり、かつ隙間が発生しない。
【００７２】
図１７に開示するように、油圧シリンダ装置がピストンを収縮させる力によって止水板本体５を連動させて下降させ、完全に閉じて位置決めされると、止水板本体５の庇部５４２が軸受３５１上を完全に遮蔽する。このため、止水板本体５をして地面と完全に平坦にさせるという効果が得られる。
【００７３】
図１８、１９に他の実施の形態を開示する。図面の開示によれば、目下の建物のスラブの厚さを考慮し、止水板装置２の軸支座５２２を補強リブ５２内に位置するように設ける。よって、この考案による止水板装置２の厚さを効率よく縮小することができ、止水板装置２の汎用性を増進させることができる。
【符号の説明】
【００７４】
１         止水板装置
１１       地面
１１０     止水板
１１１     作用点
１２       収納溝
１２０     柱体
１２１     密着部材
１２２     防漏部材
１３０     ベース部
１３１     支持フレーム
１４０     可動ブロック
１４１     軸支部
１５０     動作制限板
１５１     締結部材
１６０     シリンダ装置
２         止水板装置
３         機械部収納フレーム
３０       水位検知手段
３１       収納空間
３１１     水はけ孔
３２       収納溝
３２１     止水パッド
３３       ヒンジ固定座
３３１     スリーブ
３３２     偏心軸孔
３３３     支軸
３３４     挿入ピン
３３５     凸柱
３４       筐体
３５       軸受座
３５１     軸受
３６       緩衝構造部
３６１     支持部材
３６２     弾性部材
３６３     弾性支持突起
３７       踏板
４         油圧装置
４１       アーム
４１１     上アーム
４１２     下アーム
４２       油圧シリンダ装置
４３       調整手段
４３1      スライド座
４３１１   支持耳
４３２     スライド桿
４３２１   調整ナット
４３２２   弾性部材
４３３     支持操
４３４     固定座
５         止水板本体
５１       凹凸模様
５２       補強リブ
５２１     取付け台
５２２     軸支座
５２２１   支軸
５３       軸支部
５３１     連結板
５３２     貫通孔
５３３     当接突起
５４       接触面
５４１     傾斜面
５４２     庇部
５５       赤外線検知手段
５６       安全装置
５６１     固定桿
５６２     受動桿
５６３     タクトスイッチ
５６４     弾性体
６         当接柱体
６１       止水パッド
６２       赤外線検知手段
６３       水平桿
６３１     止水パッド
７         リモートコントローラー
７１       自動制御手段
７２       油圧モータ
７３       蓄電手段
【図１】
0003195948.tif 000003
【図２】
0003195948.tif 000004
【図３】
0003195948.tif 000005
【図４】
0003195948.tif 000006
【図５】
0003195948.tif 000007
【図６】
0003195948.tif 000008
【図７】
0003195948.tif 000009
【図８】
0003195948.tif 000010
【図９】
0003195948.tif 000011
【図１０】
0003195948.tif 000012
【図１１】
0003195948.tif 000013
【図１２】
0003195948.tif 000014
【図１３】
0003195948.tif 000015
【図１４】
0003195948.tif 000016
【図１５】
0003195948.tif 000017
【図１６】
0003195948.tif 000018
【図１７】
0003195948.tif 000019
【図１８】
0003195948.tif 000020
【図１９】
0003195948.tif 000021